(57)【要約】【課題】装飾部からシャフト部が延びるピアスも、耳朶に取り付けたときと同じ態様で取り付けることができるイヤリングを提供する。【解決手段】イヤリング１は、前後から耳朶を挟み、耳朶に取り付けられたときに、耳朶を避けるように前方から後方に延びるリング１１を有するイヤリング本体１０と、リング１１の前方側に固定され、前方から装飾部５１及び装飾部５１から突出するシャフト部５２を有するピアス５０が取り付けられるピアス取付部材２０と、を備え、ピアス取付部材２０は、ピアス５０の装飾部５１の後端が当接される当接部分２１が、リング１１の前端と同一平面又はリング１１の前端より前方に配置され、前後方向に延び、ピアス５０のシャフト部５１が前方から後方に挿通される嵌挿孔２２ａを有し、嵌挿孔２２ａは、リング１１の下端より下方に配置されている。【選択図】図１
0003191052.tif 000002
【実用新案登録請求の範囲】
【請求項１】
前後から耳朶を挟み、耳朶に取り付けられたときに、耳朶を避けるように前方から後方に延びるリングを有するイヤリング本体と、
前記リングの前方側に固定され、前方から装飾部及び前記装飾部から突出するシャフト部を有するピアスが取り付けられるピアス取付部材と、を備え、
前記ピアス取付部材は、
前記ピアスの前記装飾部の後端が当接される当接部分が、前記リングの前端と同一平面又は前記リングの前端より前方に配置され、
前後方向に延び、前記ピアスの前記シャフト部が前方から後方に挿通される嵌挿孔を有し、
前記嵌挿孔は、前記リングの下端より下方に配置されているイヤリング。
【請求項２】
前記嵌挿孔は、前記ピアスの前記シャフト部の直径より大きく且つ直径の２倍より小さい孔径によって形成されている請求項１記載のイヤリング。
【請求項３】
前記ピアス取付部材は、前記嵌挿孔に嵌挿された前記ピアスの前記シャフト部が傾かない程度の所定の厚さに形成されている請求項１又は２に記載のイヤリング。
【考案の詳細な説明】
【技術分野】
【０００１】
本考案は、イヤリングに関し、特に前後から耳朶を挟むイヤリングに関する。
【背景技術】
【０００２】
従来、耳朶にピアスを装着する場合、当該耳朶に約０．８ｍｍ〜１．２ｍｍ程度の穿孔を例えばニードル・ピアッサー・ピアスガン等を使って貫設し、当該孔にピアスのシャフト部分を挿通し、耳朶の反対側に突き出たシャフトの先端から留め金を貫挿させることで、ピアスを耳朶に固定していた。
【０００３】
ただ、従来のように耳朶に穿孔を貫設するには、様々な理由で抵抗感があり、しかも、人によっては違和感を生じてしまう虞がある。また、ピアスを長期間使用しないで穿孔をそのまま放置した場合には、穿孔が肉付等によって閉塞してしまい、その都度、耳朶に穿孔を貫設する必要があって面倒である。さらに、金属アレルギーやウイルス感染等の健康上の様々な理由で耳朶に穿孔を貫設することを忌み嫌う人もいる。
【０００４】
そこで、従来においては、例えば特許文献１に開示されているように、耳朶の表と裏に留めネジで当てがわれたイヤリング状の半円リングの最下部において、その最下部の外側にイヤリング状のリング１００と直角に付けられた輪１０１をホルダー（図５参照）として、その輪１０１に、従来市販されているピアス１０４のフック（図示せず）を通して、ピアス装飾部分をアクセサリーとするピアスホルダーなるものが提案されている。
【先行技術文献】
【特許文献】
【０００５】
【特許文献１】実用新案登録第３１７７９３９号公報
【考案の概要】
【考案が解決しようとする課題】
【０００６】
しかしながら、上記した特許文献１に開示されているピアスホルダーの場合において、リング１００に取り付けられた輪１０１に、装飾部をフックで吊り下げているピアス１０４は取り付けることができても、装飾部にシャフト部１０２を突設し、且つこのシャフト部１０２に係止部材１０３が装着されることで上記輪１０１に保持されるタイプのピアス１０４は前記輪１０１自体の内径が大きく且つ肉厚も小さいために取り付けることができない。仮に、図５に示すように、無理に取り付けたとしても輪１０１に対して装飾部が垂れ下がってしまう。
【０００７】
そこで、本考案は、装飾部からシャフト部が延びるピアスも、耳朶に取り付けたときと同じ態様で取り付けることができるイヤリングを提供することを目的とする。
【課題を解決するための手段】
【０００８】
（１）  前後から耳朶を挟み、耳朶に取り付けられたときに、耳朶を避けるように前方から後方に延びるリングを有するイヤリング本体と、
前記リングの前方側に固定され、平板状に形成され、前方から装飾部及び前記装飾部から突出するシャフト部を有するピアスが取り付けられるピアス取付部材と、を備え、
前記ピアス取付部材は、
前記ピアスの前記装飾部の後端が当接される当接部分が、前記リングの前端と同一平面又は前記リングの前端より前方に配置され、
前後方向に延び、前記ピアスの前記シャフト部が前方から後方に挿通される嵌挿孔を有し、
前記嵌挿孔は、前記リングの下端より下方に配置されているイヤリング。
【０００９】
（１）の構成によれば、イヤリングは、イヤリング本体と、ピアス取付部材と、を備え。
イヤリング本体は、前後から耳朶を挟み、耳朶に取り付けられたときに、耳朶を避けるように前方から後方に延びるリングを有する。
ピアス取付部材は、リングの前方側に固定され、前方から装飾部及び装飾部から突出するシャフト部を有するピアスが取り付けられる。
そして、ピアス取付部材は、ピアスの装飾部の後端が当接される当接部分が、リングの前端と同一平面又はリングの前端より前方に配置されている。
また、ピアス取付部材は、前後方向に延び、ピアスのシャフト部が前方から後方に挿通される嵌挿孔を有する。
嵌挿孔は、イヤリング本体の下端より下方に配置されている。
【００１０】
これにより、ピアスは、ピアス取付部材の嵌挿孔にシャフト部が挿通されることで、イヤリングに取り付けられる。
このとき、ピアス取付部材における、ピアスの装飾部の後端が当接される当接部分は、リングの前端と同一平面又はイヤリング本体の前端より前方に配置されているので、イヤリングに取り付けられたピアスの装飾部がリングに当接し曲がってしまうことがない。
また、ピアスのシャフト部が挿通される嵌挿孔は、リングの下端より下方に配置されているので、イヤリングに取り付けられたピアスのシャフト部がイヤリング本体に当接しないので、耳朶に取り付けたときと同じように、ピアスを真っ直ぐに取り付けることができる。
したがって、装飾部からシャフト部が延びるピアスも、耳朶に取り付けたときと同じ態様で取り付けることができるイヤリングを提供できる。
【００１１】
（２）前記嵌挿孔は、前記ピアスの前記シャフト部の直径より大きく且つ直径の２倍より小さい孔径によって形成されている（１）記載のイヤリング。
【００１２】
（２）の構成によれば、嵌挿孔に挿通されたピアスのシャフト部が、嵌挿孔の内部で必要以上に傾いてしまうのを防止できるので、装飾部からシャフト部が延びるピアスも、より確実に耳朶に取り付けたときと同じ態様で取り付けることができる
【００１３】
（３）前記ピアス取付部材は、前記嵌挿孔に嵌挿された前記ピアスの前記シャフト部が傾かない程度の所定の厚さに形成されている（１）又は（２）に記載のイヤリング。
【００１４】
（３）の構成によれば、ピアスのシャフト部が挿通される嵌挿孔の長さを、ピアスのシャフト部が傾かない程度の長さとすることができるので、より確実に耳朶に取り付けたときと同じ態様で取り付けることができる
【考案の効果】
【００１５】
本考案によれば、装飾部からシャフト部が延びるピアスも、耳朶に取り付けたときと同じ態様で取り付けることができるイヤリングを提供できる。
【図面の簡単な説明】
【００１６】
【図１】本考案を実施するための一形態におけるイヤリングの斜視図である。
【図２】イヤリング本体に対するピアス取付部材の配置関係を示す説明図である。
【図３】本実施形態の変形例によるイヤリングの斜視図である。
【図４】本実施形態の変形例によるイヤリングの斜視図である。
【図５】従来例におけるピアスホルダーを示す説明図である。
【考案を実施するための形態】
【００１７】
以下、図面を参照して本考案の実施の一形態を詳細に説明する。
図１は、本考案を実施するための一形態におけるイヤリングの斜視図である。
本考案に係るイヤリング１は、耳朶に取り付けられ、イヤリング本体１０と、ピアス取付部材２０と、を備える。
【００１８】
イヤリング本体１０は、前後から耳朶を挟むネジバネ式もしくはバネスクリュー式と呼ばれるタイプであり、耳朶に取り付けられたときに、耳朶を避けるように前方から後方に延び、側方から視て略Ｕ字状に形成されたリング１１と、リング１１に設けられたヒンジ部１２と、リング１１の後方側の上端部に設けられた調節用ネジ１３と、リング１１の前方側の上端部に設けられた耳当接部１４と、を備える。イヤリング本体１０は、耳当接部１４と調節用ネジ１３の前端との間に耳朶を挟み込むことで、耳朶に取り付けられる。耳当接部１４と調節用ネジ１３の前端との間隔は、調節用ネジ１３により調節可能に構成されている。
なお、本考案はこのようなイヤリング構造に限定されるものではなく、その他のイヤリング構造として例えばクリップ式・バネクリップ式等であっても良い。
また、イヤリング本体１０は、耳当接部１４を省略し、リング１１の前方側の上端部と、調節用ネジ１３の前端との間に耳朶を挟んでもよい。また、イヤリング本体１０は、耳当接部１４及び調節用ネジ１３を省略し、リング１１の前方側の上端部と後方側の上端部との間に耳朶を挟んでもよい。
また、リング１１は、耳朶に取り付けられたときに、耳朶を避けるように前方から後方に延びれば、側方から視た略Ｕ字状に限らず、任意の形状に形成することができる。
【００１９】
ピアス取付部材２０は、イヤリング本体１０のリング１１の前方側に固定され、平板状に形成され、前方から装飾部５１及び装飾部５１から突出するシャフト部５２を有するピアス５０が取り付けられる。
【００２０】
また、本実施形態において、ピアス取付部材２０は、リング１１の下方側に、溶接によりリング１１に固定されているが、これに限らず、ピアス取付部材２０をリング１１に固定する固定部材を介して、リング１１に固定してもよい。
【００２１】
また、本実施形態において、ピアス取付部材２０は、正面視で略縦長楕円形状に形成されているが、円形・長円形・三角形・矩形もしくは多角形等の任意の形状に形成することができる。また、ピアス取付部材２０の前方に面する、ピアス５０の装飾部５１の後端が当接される当接部分２１には、後述する嵌挿孔２２ａ，２２ｂを塞がない範囲において、ビーズや宝石等の装飾物を配置し固定してもよい。これにより、イヤリング１の意匠性を向上できる。
【００２２】
図２は、イヤリング本体に対するピアス取付部材の配置関係を示す説明図である。
ピアス取付部材２０は、ピアス５０の装飾部５１の後端が当接される当接部分２１が、イヤリング本体１０のリング１１の前端と同一平面に配置されている。なお、ピアス取付部材２０は、ピアス５０の装飾部５１の後端が当接される当接部分２１が、イヤリング本体１０のリング１１の前端より前方に配置してもよい。
【００２３】
また、ピアス取付部材２０は、前後方向に延び、ピアス５０のシャフト部５１が前方から後方に挿通される嵌挿孔２２ａ，２２ｂを有する。
嵌挿孔２２ａ，２２ｂは、イヤリング本体１０のリング１１の下端より下方に配置されている。
なお、本実施形態において、ピアス取付部材２０は、縦方向に配列された嵌挿孔を２箇所設けているが、これに限らす、嵌挿孔は１箇所でもよいし、３箇所以上でもよい。また、ピアス取付部材２０は、嵌挿孔を複数設ける場合、縦方向以外に、横方向や任意の方向に配列してもよい。
【００２４】
また、嵌挿孔２２ａ，２２ｂは、ピアス５０のシャフト部５２の直径より大きく且つ直径の２倍より小さい孔径、例えば、シャフト部５２の直径約０．８ｍｍ〜１．２ｍｍに対応して、約１ｍｍ〜２ｍｍ程度に形成されている。
【００２５】
また、ピアス取付部材２０は、嵌挿孔２２ａ，２２ｂに嵌挿されたピアス５０のシャフト部５２が傾かない程度の所定の厚さ、例えば１ｍｍ〜３ｍｍ程度に形成されている。
【００２６】
次に、本実施形態の変形例に係るイヤリング１Ａ及び１Ｂについて説明する。
図３及び図４は、本実施形態の変形例に係るイヤリングの斜視図である。
図３に示すイヤリング１Ａは、ピアス取付部材２０Ａの形状が本実施形態に係るイヤリング１と異なる。
ピアス取付部材２０Ａは、ピアス５０の装飾部５１の後端が当接される当接部分２１が、上下方向に配列された略円形状の２つの平板で形成され、上側の平板に嵌挿孔２２ａが形成され、下側の平板に嵌挿孔２２ｂが形成されている。また、本変形例においては３個以上の平板が縦方向に沿って連設されていてもよい。この場合、本実施形態と同様に、イヤリング本体１０のリング１１に固定された平板の嵌挿孔２２ａがリング１１の下端よりも下側に形成される。
【００２７】
図４に示すイヤリング１Ｂは、ピアス取付部材２０Ｂの形状及びイヤリング本体１０Ｂが耳当接部を備えない点が本実施形態に係るイヤリング１と異なる。
ピアス取付部材２０Ｂは、その上端がリング１１の上端に配置され、その下端がリング１１の下端より下方に配置され、嵌挿孔２２ａがリング１１の下端より下方に配置されている。
このように、ピアス取付部材２０は、嵌挿孔２２ａがリング１１の下端より下方に配置できれば、リング１１の上端からリング１１の下端より下方に延びるような任意の形状で形成してもよい。
【００２８】
次に、本実施形態に係るイヤリング１の使用方法について説明する。
まず、ピアス取付部材２０の各嵌挿孔２２ａ，２２ｂに、様々な意匠形態のピアス５０を取り付ける。
例えば、図１及び図３に示す例では、上側の嵌挿孔２２ａには、球形の水晶またはパール等の装飾部５１を備えたピアス５０が装着され、下側の嵌挿孔２２ｂには、球形のビーズがワイヤーで連繋して成る装飾部５１を備えたピアス５０が装着される。
【００２９】
このとき嵌挿孔２２ａ，２２ｂの反対側から突き出されたシャフト部５２に係止部材５３が装着されることでピアス５０自体がピアス取付部材２０に保持される。
【００３０】
そして、イヤリング本体１０のヒンジ部１２を介して、リング１１の前端部と調節用ネジ１３との間に耳朶を挟み込み、イヤリング１を耳朶に固定する。
【００３１】
以上説明したように、本考案においては、装飾部からシャフト部が延びるピアスも、耳朶に取り付けたときと同じ態様で取り付けることができる。
また、イヤリング１とピアス５０との美的相乗効果により一層の意匠的価値が向上する。こうして、気に入ったデザインのピアス５０をイヤリング１に取り付けることが可能となり、様々なファッションを楽しむことができる。
【００３２】
なお、上記した実施形態において、さらに他の様々な変形例も可能である。また、本考案は、その趣旨を逸脱しない範囲内において、種々の変更が加えられてもよい。
【符号の説明】
【００３３】
１,１Ａ,１Ｂ…イヤリング
１０,１０Ｂ…イヤリング本体
１１…リング部
１２…ヒンジ部
１３…調節用ネジ
１４…耳当接部
２０,２０Ａ,２０Ｂ…ピアス取付部材
２１…当接部分
２２ａ，２２ｂ…嵌挿孔
５０…ピアス
５１…装飾部
５２…シャフト部
５３…係止部材
１００…リング
１０１…輪
１０２…シャフト部
１０３…係止部材
１０４…ピアス
【図１】
0003191052.tif 000003
【図２】
0003191052.tif 000004
【図３】
0003191052.tif 000005
【図４】
0003191052.tif 000006
【図５】
0003191052.tif 000007